(57)【要約】【課題】従来の技術では、第１通信装置と第２通信装置とが回線により接続されている通信網において、第１通信装置から第２通信装置への情報の伝達時間と、第２通信装置から第１通信装置への情報の伝達時間とが異なると、片道の情報の伝達時間を特定することができない。【解決手段】情報伝達時間特定システム１００は、それぞれが時計機能を有する第１計時装置１と第２計時装置２とを有する。第１計時装置１は、伝達時間を特定するための情報を第１通信装置３に送信するとき、その情報を、その情報の送信時刻を特定する値を含む試験情報として第１通信装置３に送信する。第２計時装置２は、第１通信装置３から第２通信装置４へ転送された試験情報を第２通信装置４から受信し、試験情報の受信時刻を特定する値から、試験情報に含まれる送信時刻を特定する値を減じて、試験情報の伝達時間を特定する。【選択図】図１
2011145258.tif 000002
【特許請求の範囲】
【請求項１】
第１通信装置と第２通信装置とが回線により接続されている通信網における情報の伝達時間を特定する場合に用いられ、それぞれが時計機能を有する計時起点装置と計時終点装置とを備え、
前記計時起点装置は、伝達時間を特定するための情報を前記第１通信装置に送信する装置であって、その情報を前記第１通信装置に送信するとき、その情報を、その情報の送信時刻を特定する値を含む試験情報として前記第１通信装置に送信し、
前記計時終点装置は、前記第１通信装置から前記第２通信装置へ転送された前記試験情報を前記第２通信装置から受信し、前記試験情報の受信時刻を特定する値から、前記試験情報に含まれる前記送信時刻を特定する値を減じて、前記計時起点装置から前記計時終点装置への前記試験情報の伝達時間を特定する
情報伝達時間特定システム。
【請求項２】
前記計時起点装置は、第１発振器を有し、前記第１発振器の発振に基づいて時計機能を実現し、
前記計時終点装置は、第２発振器を有し、前記第２発振器の発振に基づいて時計機能を実現する
請求項１に記載の情報伝達時間特定システム。
【請求項３】
前記計時起点装置は、内部を所定の温度に保つ第１筺体を有し、前記第１発振器は、前記第１筺体に収められ、
前記計時終点装置は、内部を前記温度に保つ第２筺体を有し、前記第２発振器は、前記第２筺体に収められる
請求項２に記載の情報伝達時間特定システム。
【請求項４】
前記計時終点装置は、前記温度における、前記第１発振器の発振特性と前記第２発振器の発振特性との差異を示す情報を取得し、前記受信時刻を特定する値から前記送信時刻を特定する値を減じて得られた結果を前記差異に基づいて補正して、前記伝達時間を特定する
請求項３に記載の情報伝達時間特定システム。
【請求項５】
前記計時起点装置及び前記計時終点装置それぞれは、電波による時刻データを受信し、受信した時刻データに基づいて時計機能を実現する
請求項１に記載の情報伝達時間特定システム。
【請求項６】
第１通信装置と第２通信装置とが回線により接続されている通信網における情報の伝達時間を特定する方法であって、
伝達時間を特定するための情報を前記第１通信装置に送信するとき、その情報を、その情報の送信時刻を特定する値を含む試験情報として前記第１通信装置に送信するステップと、
前記第１通信装置から前記第２通信装置へ転送された前記試験情報を前記第２通信装置から受信するステップと、
前記試験情報の受信時刻を特定し、前記受信時刻を特定する値から、前記試験情報に含まれる前記送信時刻を特定する値を減じて、前記試験情報の伝達時間を特定するステップと
を含む情報伝達時間特定方法。
【請求項７】
更に、
内部を所定の温度に保つ第１筺体に第１発振器及び第２発振器を格納し、前記温度における、前記第１発振器の発振特性と前記第２発振器の発振特性との差異を検出するステップと、
前記第１発振器を、内部を前記温度に保つ第２筺体に格納して計時起点装置に配置し、前記第１発振器の発振に基づく時計機能を前記計時起点装置に有させるとともに、前記第２発振器を、内部を前記温度に保つ第３筺体に格納して計時終点装置に配置し、前記第２発振器の発振に基づく時計機能を前記計時終点装置に有させるステップとを含み、
前記伝達時間を特定するステップでは、前記受信時刻を特定する値から前記送信時刻を特定する値を減じて得られた結果を前記差異に基づいて補正して、前記伝達時間を特定し、
前記計時起点装置に、前記試験情報を前記第１通信装置に送信するステップを実行させ、
前記計時終点装置に、前記試験情報を受信するステップと、前記伝達時間を特定するステップとを実行させる
請求項６に記載の情報伝達時間特定方法。
【発明の詳細な説明】
【技術分野】
【０００１】
本発明は、情報の伝達時間を特定する技術に関する。
【背景技術】
【０００２】
例えば、電話交換機等の第１通信装置と第２通信装置とが回線により接続されている通信網を実用化しようとする場合、情報の伝達時間を考慮して通信網の使用方法を設計することがある。そのとき、情報の伝達時間を正確に特定する必要がある。
【０００３】
従来、第１通信装置と第２通信装置とが回線により接続された通信網における情報の伝達時間を特定する場合、第１通信装置に計時装置を接続し、第２通信装置を情報の折り返し装置に設定する。そして、計時装置から第１通信装置に所定の信号を送信し、その信号が第２通信装置で折り返して計時装置に戻ってくるまでにかかる時間を測定し、その時間の半分を片道の情報の伝達時間と特定している（例えば、特許文献１参照）。
【０００４】
第１通信装置の機能と第２通信装置の機能とが同一である場合、第１通信装置から第２通信装置への情報の伝達時間と、第２通信装置から第１通信装置への情報の伝達時間とは同一である。そのため、上記の方法により、片道の情報の伝達時間を特定することができる。
【先行技術文献】
【特許文献】
【０００５】
【特許文献１】特開昭５４−１０５９０８号公報
【発明の概要】
【発明が解決しようとする課題】
【０００６】
しかしながら、第１通信装置の機能と第２通信装置の機能とが異なる場合等、第１通信装置から第２通信装置への情報の伝達時間と、第２通信装置から第１通信装置への情報の伝達時間とが異なる場合がある。その場合、上記の方法では、片道の情報の伝達時間を特定することはできない。
【０００７】
本発明は、第１通信装置と第２通信装置とが回線により接続されている通信網において、第１通信装置から第２通信装置への情報の伝達時間と、第２通信装置から第１通信装置への情報の伝達時間とが異なっても、片道の情報の伝達時間を特定することができる情報伝達時間特定システム及び情報伝達時間特定方法を提供することを目的とする。
【課題を解決するための手段】
【０００８】
上記課題を解決し上記目的を達成するために、本発明の情報伝達時間特定システムは、第１通信装置と第２通信装置とが回線により接続されている通信網における情報の伝達時間を特定する場合に用いられ、それぞれが時計機能を有する計時起点装置と計時終点装置とを有し、前記計時起点装置は、伝達時間を特定するための情報を前記第１通信装置に送信する装置であって、その情報を前記第１通信装置に送信するとき、その情報を、その情報の送信時刻を特定する値を含む試験情報として前記第１通信装置に送信し、前記計時終点装置は、前記第１通信装置から前記第２通信装置へ転送された前記試験情報を前記第２通信装置から受信し、前記試験情報の受信時刻を特定する値から、前記試験情報に含まれる前記送信時刻を特定する値を減じて、前記計時起点装置から前記計時終点装置への前記試験情報の伝達時間を特定する。
【０００９】
本発明の情報伝達時間特定方法は、第１通信装置と第２通信装置とが回線により接続されている通信網における情報の伝達時間を特定する方法であって、伝達時間を特定するための情報を前記第１通信装置に送信するとき、その情報を、その情報の送信時刻を特定する値を含む試験情報として前記第１通信装置に送信するステップと、前記第１通信装置から前記第２通信装置へ転送された前記試験情報を前記第２通信装置から受信するステップと、前記試験情報の受信時刻を特定し、前記受信時刻を特定する値から、前記試験情報に含まれる前記送信時刻を特定する値を減じて、前記試験情報の伝達時間を特定するステップとを含む。
【発明の効果】
【００１０】
本発明は、第１通信装置と第２通信装置とが回線により接続されている通信網において、第１通信装置から第２通信装置への情報の伝達時間と、第２通信装置から第１通信装置への情報の伝達時間とが異なっても、片道の情報の伝達時間を特定することができる情報伝達時間特定システム及び情報伝達時間特定方法を提供することができる。
【図面の簡単な説明】
【００１１】
【図１】実施の形態の情報伝達時間特定システムの構成図である。
【図２】時刻を合わせる動作を説明するための図である。
【図３】第１水晶発振器及び第２水晶発振器それぞれの発振周波数を測定する動作を説明するための図である。
【図４】情報の伝達時間を説明するための図である。
【図５】変形例の情報伝達時間特定システムの構成図である。
【発明を実施するための形態】
【００１２】
以下に、本発明を実施するための形態を図面を参照して説明する。
【００１３】
（実施の形態１）
先ず、実施の形態１の情報伝達時間特定システム１００の構成を図１を用いて説明する。図１は、実施の形態１の情報伝達時間特定システム１００の構成図である。情報伝達時間特定システム１００は、第１通信装置と第２通信装置とが専用の回線により接続されている通信網における情報の伝達時間を特定する場合に用いられるシステムであって、第１計時装置１と、第２計時装置２とを有する。図１には、第１通信装置３及び第２通信装置４も示されている。第１通信装置３と第２通信装置４とは、専用の第１回線５及び第２回線６により接続されている。第１計時装置１は第１通信装置３に接続され、第２計時装置２は第２通信装置４に接続される。
【００１４】
情報伝達時間特定システム１００は、第１計時装置１から第１通信装置３と第２通信装置４とを順に経由して第２計時装置２へ送信される情報の伝達時間を特定するとともに、第２計時装置２から第２通信装置４と第１通信装置３とを順に経由して第１計時装置１へ送信される情報の伝達時間を特定する。以下に、第１通信装置３、第２通信装置４、第１計時装置１、及び、第２計時装置２それぞれの構成を順に説明する。
【００１５】
第１通信装置３は、第１通信部３１と、第２通信部３２とを有する。第２通信装置４は、第３通信部４１と、第４通信部４２とを有する。第１通信装置３の第１通信部３１と、第２通信装置４の第３通信部４１とは、第１回線５により接続されており、第１通信装置３の第２通信部３２と、第２通信装置４の第４通信部４２とは、第２回線６により接続されている。第１通信装置３及び第２通信装置４の各通信部は、一方の接続相手から情報を受信し、その情報を他方の接続相手に送信する。
【００１６】
第１計時装置１は、第１入力部１１と、第１受付部１２と、第１時計部１３と、第１送信部１４と、第１受信部１５と、第１特定部１６と、第１報知部１７とを有する。
【００１７】
第１入力部１１は、ユーザが、情報の伝達時間を特定させるための指示を第１計時装置１に入力する際に用いる構成部である。第１受付部１２は、ユーザが第１入力部１１を用いて第１計時装置１に入力した、情報の伝達時間を特定させるための指示を受け付ける。第１時計部１３は、時計機能を有する。第１時計部１３は、内部を所定の温度に保つとともに所定の湿度に保つ第１筐体１３０ａと、第１筐体１３０ａに収められる第１水晶発振器１３０ｂと、第１水晶発振器１３０ｂの発振回数を計測する第１カウンタ１３０ｃとを有する。第１時計部１３は、第１水晶発振器１３０ｂの発振に基づいて時計機能を実現する。
【００１８】
第１送信部１４は、第１通信装置３の第１通信部３１に接続される。第１送信部１４は、第１受付部１２が情報の伝達時間を特定させるための指示を受け付けた場合、第１時計部１３の時計機能に基づいて、伝達時間を特定させるための情報を、その情報の送信時刻を含む試験情報として第１通信装置３の第１通信部３１に送信する。第１受信部１５は、第１通信装置３の第２通信部３２に接続される。第１受信部１５は、試験情報を第１通信装置３の第２通信部３２から受信する。第１受信部１５が受信する試験情報は、第２計時装置２が第２通信装置４へ送信し、第２通信装置４と第１通信装置３とをその順に経由して第１計時装置１に到達した情報である。
【００１９】
第１特定部１６は、第１時計部１３の時計機能に基づいて、第１受信部１５が試験情報を受信した時刻を特定し、特定した受信時刻から、第１受信部１５が受信した試験情報に含まれる送信時刻を減じて、第２計時装置２から第１計時装置１への試験情報の伝達時間を特定する。第１報知部１７は、第１特定部１６によって特定された伝達時間を表示する。
【００２０】
第２計時装置２は、第１計時装置１と同じ機能を有する装置であって、第２入力部２１と、第２受付部２２と、第２時計部２３と、第２送信部２４と、第２受信部２５と、第２特定部２６と、第２報知部２７とを有する。
【００２１】
第２入力部２１は、ユーザが、情報の伝達時間を特定させるための指示を第２計時装置２に入力する際に用いる構成部である。第２受付部２２は、ユーザが第２入力部２１を用いて第２計時装置２に入力した、情報の伝達時間を特定させるための指示を受け付ける。
【００２２】
第２時計部２３は、時計機能を有する。第２時計部２３は、内部を上記所定の温度に保つとともに上記所定の湿度に保つ第２筐体２３０ａと、第２筐体２３０ａに収められる第２水晶発振器２３０ｂとを有する。実施の形態１では、第２水晶発振器２３０ｂの発振特性は、第１計時装置１の第１水晶発振器１３０ｂの発振特性と同じであると仮定する。第２時計部２３は、更に、第２水晶発振器２３０ｂの発振回数を計測する第２カウンタ２３０ｃを有する。第２時計部２３は、第２水晶発振器２３０ｂの発振に基づいて時計機能を実現する。第２水晶発振器２３０ｂと、第１計時装置１の第１水晶発振器１３０ｂとは、内部が同じ温度でかつ同じ湿度である筐体に収められるので、同じ発振機能を実現する。したがって、第２時計部２３と、第１計時装置１の第１時計部１３とは、同じ時計機能を実現する。
【００２３】
第２送信部２４は、第２通信装置４の第４通信部４２が接続される。第２送信部２４は、第２受付部２２が情報の伝達時間を特定させるための指示を受け付けた場合、第２時計部２３の時計機能に基づいて、伝達時間を特定させるための情報を、その情報の送信時刻を含む試験情報として第２通信装置４の第４通信部４２に送信する。第２受信部２５は、第２通信装置４の第３通信部４１が接続される。第２受信部２５は、試験情報を第２通信装置４の第３通信部４１から受信する。第２受信部２５が受信する試験情報は、第１計時装置１が第１通信装置３へ送信し、第１通信装置３と第２通信装置４とをその順に経由して第２計時装置２に到達した情報である。
【００２４】
第２特定部２６は、第２時計部２３の時計機能に基づいて、第２受信部２５が試験情報を受信した時刻を特定し、特定した受信時刻から、第２受信部２５が受信した試験情報に含まれる送信時刻を減じて、第１計時装置１から第２計時装置２への試験情報の伝達時間を特定する。第２報知部２７は、第２特定部２６によって特定された伝達時間を表示する。
【００２５】
次に、実施の形態１の情報伝達時間特定システム１００の動作を説明する。
【００２６】
情報伝達時間特定システム１００に情報の伝達時間を特定させる前に、作業者は、図２に示すように、第１計時装置１の第１時計部１３と、第２計時装置２の第２時計部２３とを、時刻合わせ信号を出力する時刻合わせ装置７に接続する。その際、作業者は、時刻合わせ装置７が出力する時刻合わせ信号が第１時計部１３と第２時計部２３とに同時に到達するように、第１時計部１３及び第２時計部２３を時刻合わせ装置７に接続する。例えば、作業者は、同じ接続部材７０を用いて、第１時計部１３及び第２時計部２３それぞれと時刻合わせ装置７とを接続し、時刻合わせ装置７が出力する時刻合わせ信号を第１時計部１３と第２時計部２３とに同時に到達させるようにする。
【００２７】
そして、作業者は、時刻合わせ信号を出力させるための指示を、時刻合わせ装置７に設けられている第３入力部７１により時刻合わせ装置７に入力する。時刻合わせ装置７は、その指示を受け付け、時刻合わせ信号を第１時計部１３と第２時計部２３とに同時に出力する。時刻合わせ装置７からの時刻合わせ信号は、第１時計部１３と第２時計部２３とに同時に到達する。第１時計部１３の第１カウンタ１３０ｃと、第２時計部２３の第２カウンタ２３０ｃとは、時刻合わせ装置７からの時刻合わせ信号に基づいて同時にリセットされ、その時点から水晶発振器の発振回数の計測を再開する。それとともに、第１時計部１３が示す時刻と、第２時計部２３が示す時刻とは、一致する。
【００２８】
その後、作業者は、第１計時装置１及び第２計時装置２を時刻合わせ装置７から取り外す。次に、作業者は、図１に示すように、第１回線５及び第２回線６により接続されている第１通信装置３と第２通信装置４とのうちの、第１通信装置３に第１計時装置１を接続するとともに、第２通信装置４に第２計時装置２を接続する。具体的には、作業者は、第１計時装置１の第１送信部１４を、第１通信装置３の第１通信部３１に接続するとともに、第１計時装置１の第１受信部１５を、第１通信装置３の第２通信部３２に接続する。そして、作業者は、第２計時装置２の第２送信部２４を、第２通信装置４の第４通信部４２に接続するとともに、第２計時装置２の第２受信部２５を、第２通信装置４の第３通信部４１に接続する。
【００２９】
このようにして、第１通信装置３に第１計時装置１を接続し、第２通信装置４に第２計時装置２を接続した後に、情報伝達時間特定システム１００に情報の伝達時間を特定させる。
【００３０】
先ず、第１計時装置１から第１通信装置３と第２通信装置４とを順に経由して第２計時装置２に伝達する情報の伝達時間を特定する情報伝達時間特定システム１００の動作を説明する。
【００３１】
作業者は、伝達時間を特定させるための指示を、第１入力部１１を用いて第１計時装置１に入力する。第１受付部１２は、その指示を受け付け、第１送信部１４は、第１時計部１３の時計機能に基づいて、伝達時間を特定させるための情報を、その情報の送信時刻を含む試験情報として第１通信装置３に送信する。第１通信装置３では、第１通信部３１が、第１計時装置１からの試験情報を受信して第２通信装置４に送信する。第２通信装置４では、第３通信部４１が、第１通信装置３からの試験情報を受信して第２計時装置２に送信する。
【００３２】
第２計時装置２では、第２受信部２５が第２通信装置４からの試験情報を受信する。第２特定部２６は、第２時計部２３の時計機能に基づいて、第２受信部２５が試験情報を受信した時刻を特定し、特定した受信時刻から試験情報に含まれる送信時刻を減じて、第１計時装置１から第２計時装置２への試験情報の伝達時間を特定する。第２報知部２７は、第２特定部２６によって特定された伝達時間を表示する。これにより、作業者は、第１計時装置１から第１通信装置３と第２通信装置４とを順に経由して第２計時装置２に伝達する情報の伝達時間を知ることができる。
【００３３】
次に、第２計時装置２から第２通信装置４と第１通信装置３とを順に経由して第１計時装置１に伝達する情報の伝達時間を特定する情報伝達時間特定システム１００の動作を説明する。
【００３４】
作業者は、伝達時間を特定させるための指示を、第２入力部２１を用いて第２計時装置２に入力する。第２受付部２２は、その指示を受け付け、第２送信部２４は、第２時計部２３の時計機能に基づいて、伝達時間を特定させるための情報を、その情報の送信時刻を含む試験情報として第２通信装置４に送信する。第２通信装置４では、第４通信部４２が、第２計時装置２からの試験情報を受信して第１通信装置３に送信する。第１通信装置３では、第２通信部３２が、第２通信装置４からの試験情報を受信して第１計時装置１に送信する。
【００３５】
第１計時装置１では、第１受信部１５が第１通信装置３からの試験情報を受信する。第１特定部１６は、第１時計部１３の時計機能に基づいて、第１受信部１５が試験情報を受信した時刻を特定し、特定した受信時刻から試験情報に含まれる送信時刻を減じて、第２計時装置２から第１計時装置１への試験情報の伝達時間を特定する。第１報知部１７は、第１特定部１６によって特定された伝達時間を表示する。これにより、作業者は、第２計時装置２から第２通信装置４と第１通信装置３とを順に経由して第１計時装置１に伝達する情報の伝達時間を知ることができる。
【００３６】
上述したように、実施の形態１の情報伝達時間特定システム１００では、第１計時装置１は、試験情報を第１通信装置３に送信し、第２計時装置２は、第１通信装置３と第２通信装置４とをその順に経由した試験情報を受信する。そして、第２計時装置２は、試験情報の受信時刻から試験情報に含まれる送信時刻を減じて、第１計時装置１から第２計時装置２への試験情報の伝達時間を特定し、特定した伝達時間を表示する。
【００３７】
同様に、第２計時装置２は、試験情報を第２通信装置４に送信し、第１計時装置１は、第２通信装置４と第１通信装置３とをその順に経由した試験情報を受信する。そして、第１計時装置１は、試験情報の受信時刻から試験情報に含まれる送信時刻を減じて、第２計時装置２から第１計時装置１への試験情報の伝達時間を特定し、特定した伝達時間を表示する。
【００３８】
これにより、第１計時装置１から第１通信装置３と第２通信装置４とを順に経由して第２計時装置２に伝達する情報の伝達時間を特定することができる。また、第２計時装置２から第２通信装置４と第１通信装置３とを順に経由して第１計時装置１に伝達する情報の伝達時間を特定することができる。つまり、第１通信装置３から第２通信装置４への情報の伝達時間と、第２通信装置４から第１通信装置３への情報の伝達時間とが異なっても、実施の形態１の情報伝達時間特定システム１００を用いれば、片道の情報の伝達時間を特定することができる。
【００３９】
（実施の形態２）
上述した実施の形態１では、第１計時装置１の第１時計部１３の第１水晶発振器１３０ｂの発振特性と、第２計時装置２の第２時計部２３の第２水晶発振器２３０ｂの発振特性とが同じであると仮定した。しかしながら、第１水晶発振器１３０ｂの発振特性と、第２水晶発振器２３０ｂの発振特性とが異なる場合もある。換言すると、第１水晶発振器１３０ｂと第２水晶発振器２３０ｂとに個体差が存在する場合もある。
【００４０】
実施の形態２では、第１水晶発振器１３０ｂと第２水晶発振器２３０ｂとに個体差が存在する場合の情報の伝達時間を特定する形態について説明する。なお、実施の形態２の情報伝達時間特定システム１００の構成は、実施の形態１の情報伝達時間特定システム１００の構成と同じであり、動作が実施の形態２と実施の形態１とで異なる。実施の形態２では、実施の形態１と異なる点を説明する。
【００４１】
先ず、作業者は、内部の温度及び湿度それぞれが、第１計時装置１の第１時計部１３の第１筐体１３０ａの内部の温度及び湿度それぞれと同じである第３筐体を用意するとともに、発振周波数計時装置を用意する。次に、作業者は、第１計時装置１の第１時計部１３の第１水晶発振器１３０ｂを第１計時装置１から取り外すとともに、第２計時装置２の第２時計部２３の第２水晶発振器２３０ｂを第２計時装置２から取り外す。
【００４２】
次に、作業者は、図３に示すように、第１水晶発振器１３０ｂと第２水晶発振器２３０ｂとを、第３筐体３２０に収め、第３筐体３２０の外部の発振周波数計時装置８に電気配線８０により別々に接続する。そして、作業者は、発振周波数計時装置８により、第１水晶発振器１３０ｂの発振周波数と、第２水晶発振器２３０ｂの発振周波数とを測定する。
【００４３】
次に、作業者は、発振周波数計時装置８によって測定した、第１水晶発振器１３０ｂの発振周波数と、第２水晶発振器２３０ｂの発振周波数とを、第１入力部１１を用いて第１計時装置１に入力する。第１受付部１２は、第１水晶発振器１３０ｂの発振周波数と、第２水晶発振器２３０ｂの発振周波数とを受け付け、第１特定部１６は、第１受付部１２によって受け付けられた情報を保持する。
【００４４】
同様に、作業者は、発振周波数計時装置８によって測定した、第１水晶発振器１３０ｂの発振周波数と、第２水晶発振器２３０ｂの発振周波数とを、第２入力部２１を用いて第２計時装置２に入力する。第２受付部２２は、第１水晶発振器１３０ｂの発振周波数と、第２水晶発振器２３０ｂの発振周波数とを受け付け、第２特定部２６は、第２受付部２２によって受け付けられた情報を保持する。
【００４５】
次に、作業者は、発振周波数計時装置８から、第１水晶発振器１３０ｂと第２水晶発振器２３０ｂとを取り出し、第１水晶発振器１３０ｂを第１計時装置１の第１時計部１３の第１筐体１３０ａに収めるとともに、第２水晶発振器２３０ｂを第２計時装置２の第２時計部２３の第２筐体２３０ａに収める。そして、作業者は、実施の形態１において図２を用いて説明したようにして、第１計時装置１の第１時計部１３と、第２計時装置２の第２時計部２３とを、時刻合わせ装置７に接続し、時刻合わせ信号を出力させるための指示を時刻合わせ装置７に入力する。
【００４６】
時刻合わせ装置７は、その指示を受け付け、時刻合わせ信号を第１時計部１３と第２時計部２３とに同時に出力する。時刻合わせ装置７からの時刻合わせ信号は、第１時計部１３及び第２時計部２３に同時に到達するので、第１時計部１３の第１カウンタ１３０ｃと、第２時計部２３の第２カウンタ２３０ｃは、時刻合わせ装置７からの時刻合わせ信号に基づいて同時にリセットされ、その時点から水晶発振器の発振回数の計測を再開する。
【００４７】
次に、第１計時装置１から第１通信装置３と第２通信装置４とを順に経由して第２計時装置２に伝達する試験情報の伝達時間を特定する際の、実施の形態２の情報伝達時間特定システム１００の動作を説明する。
【００４８】
実施の形態１と同様に、第１計時装置１の第１送信部１４は、試験情報を第１通信装置３に出力する。ただし、実施の形態２では、第１送信部１４は、試験情報を送信する時の第１時計部１３の第１カウンタ１３０ｃが示す値を含む試験情報を送信する。第２計時装置２では、第２受信部２５が、第１通信装置３と第２通信装置４とを順に経由した、第１計時装置１からの試験情報を受信する。
【００４９】
第２計時装置２の第２特定部２６は、下記の式（１）により、第２計時装置２の第２水晶発振器２３０ｂに対する第１計時装置１の第１水晶発振器１３０ｂの個体差αを算出する。
【数１】
2011145258.tif 000003
【００５０】
式（１）において、「Ｆｓ」は、第１水晶発振器１３０ｂの発振周波数であり、「Ｆｍ」は、第２水晶発振器２３０ｂの発振周波数である。
【００５１】
次に、第２特定部２６は、下記の式（２）により、補正値βを算出する。
【数２】
2011145258.tif 000004
【００５２】
式（２）において、「Ｔｓ」は、第１計時装置１が第１通信装置３に送信した試験情報の送信時の、第１計時装置１の第１時計部１３の第１カウンタ１３０ｃが示す値である。「Ｔｃ」は、第１時計部１３の第１カウンタ１３０ｃと、第２計時装置２の第２時計部２３の第２カウンタ２３０ｃとがリセットされた時の各カウンタの値である。例えば、「Ｔｃ」は、第１カウンタ１３０ｃ及び第２カウンタ２３０ｃが示す値「０（ゼロ）」である。
【００５３】
そして、第２特定部２６は、下記の式（３）により、第１計時装置１から第２計時装置２への試験情報の伝達時間に対応するカウンタの値を算出する。
【数３】
2011145258.tif 000005
【００５４】
式（３）において、「ｔ」は、第１水晶発振器１３０ｂと第２水晶発振器２３０ｂとの個体差を考慮した試験情報の伝達時間であり、「Ｔｒ」は、第２計時装置２の第２受信部２５が試験情報を受信した時の第２時計部２３の第２カウンタ２３０ｃが示す値である。
【００５５】
上述した、第１カウンタ１３０ｃと第２カウンタ２３０ｃとがリセットされた時の各カウンタの値Ｔｃと、試験情報の送信時の第１時計部１３の第１カウンタ１３０ｃが示す値Ｔｓと、試験情報が受信された時の第２時計部２３の第２カウンタ２３０ｃが示す値Ｔｒと、試験情報の伝達時間ｔとの関係は、図４により示される。
【００５６】
ところで、上記の式（３）により得られた値「ｔ」は、伝達時間をカウンタの値で示した数値である。そこで、第２特定部２６は、式（３）により得た値「ｔ」を、第２水晶発振器２３０ｂの発振周波数で除して、伝達時間を特定する。
【００５７】
このように、実施の形態２の情報伝達時間特定システム１００は、式（１）から式（３）を用いて、第１計時装置１から第２計時装置２への試験情報の伝達時間を特定する。すなわち、実施の形態２の情報伝達時間特定システム１００を用いることにより、第１計時装置１の第１時計部１３の第１水晶発振器１３０ｂの発振特性と、第２計時装置２の第２時計部２３の第２水晶発振器２３０ｂの発振特性とに個体差が存在しても、伝達時間を正確に特定することができる。
【００５８】
ここまでは、第１計時装置１から第１通信装置３と第２通信装置４とを順に経由して第２計時装置２に伝達する試験情報の伝達時間を特定する際の、実施の形態２の情報伝達時間特定システム１００の動作を説明した。ところで、第１計時装置１と第２計時装置２とは同じ機能を有する。そのため、実施の形態２の情報伝達時間特定システム１００を用いれば、第１水晶発振器１３０ｂの発振特性と第２水晶発振器２３０ｂの発振特性とに個体差が存在しても、第２計時装置２から第１計時装置１への試験情報の伝達時間も正確に特定することができる。
【００５９】
（変形例）
なお、実施の形態１では、試験情報は、試験情報の送信時刻そのものを含む。しかしながら、試験情報は、実施の形態２と同様に、試験情報の送信時における時計部のカウンタが示す値を、送信時刻を特定する値として含んでもよい。その場合、第２計時装置２の第２特定部２６は、試験情報の受信時における第２時計部２３の第２カウンタ２３０ｃの値から、試験情報に含まれる値を差し引き、得られた値を第２水晶発振器２３０ｂの発振周波数で除して、第１計時装置１から第２計時装置２への試験情報の伝達時間を特定する。同様に、第１計時装置１の第１特定部１６は、試験情報の受信時における第１時計部１３の第１カウンタ１３０ｃの値から、試験情報に含まれる値を差し引き、得られた値を第１水晶発振器１３０ｂの発振周波数で除して、第２計時装置２から第１計時装置１への試験情報の伝達時間を特定する。
【００６０】
また、上述した実施の形態１及び実施の形態２では、第１時計部１３は、第１水晶発振器１３０ｂを有し、その発振に基づいて時計機能を実現し、第２時計部２３は、第２水晶発振器２３０ｂを有し、その発振に基づいて時計機能を実現する。しかしながら、時計機能は、水晶発振器を用いずに実現されてもよい。例えば、時計機能は、電波による時刻データを受信する時計部によって実現されてもよい。
【００６１】
具体的には、図５に示すように、第１計時装置１は、第１アンテナ５０と第３時計部５１とを有する第１計時装置１Ａに置き換えられ、第２計時装置２は、第２アンテナ６０と第４時計部６１とを有する第２計時装置２Ａに置き換えられてもよい。第１アンテナ５０は、時刻データを受信し、第３時計部５１は、第１アンテナ５０によって受信された時刻データに基づいて時計機能を実現する。同様に、第２アンテナ６０は、時刻データを受信し、第４時計部６１は、第２アンテナ６０によって受信された時刻データに基づいて時計機能を実現する。
【００６２】
第１アンテナ５０及び第２アンテナ６０それぞれは、グローバルポジショニングシステムの衛星が発する時刻データを受信してもよいし、電波時計用の、原子時計を有する送信局が電波により送信する時刻データを受信してもよい。
【００６３】
図５に示す第１計時装置１Ａでは、第１送信部１４は、第３時計部５１の時計機能に基づいて、送信時刻を特定する値を含む試験情報を送信し、第１特定部１６は、第３時計部５１の時計機能に基づいて、第１受信部１５による試験情報の受信時刻を特定する。同様に、第２計時装置２Ａでは、第２送信部２４は、第４時計部６１の時計機能に基づいて、送信時刻を特定する値を含む試験情報を送信し、第２特定部２６は、第４時計部６１の時計機能に基づいて、第２受信部２５による試験情報の受信時刻を特定する。
【００６４】
また、上述した実施の形態１及び実施の形態２では、第１計時装置１の第１報知部１７は、第１特定部１６によって特定された伝達時間を表示する。しかしながら、第１報知部１７は、第１特定部１６によって特定された伝達時間を音により第１計時装置１の外部に出力してもよい。同様に、第２計時装置２の第２報知部２７は、第２特定部２６によって特定された伝達時間を音により第２計時装置２の外部に出力してもよい。要するに、第１報知部１７は、第１特定部１６によって特定された伝達時間をいずれかの形態により第１計時装置１の外部に報知するものであり、第２報知部２７は、第２特定部２６によって特定された伝達時間をいずれかの形態により第２計時装置２の外部に報知するものであればよい。
【００６５】
更に、第１計時装置１及び第２計時装置２は、伝達時間を特定する機能を有さない通信装置に置き換えられてもよい。その場合、情報伝達時間特定システムには、第１計時装置１及び第２計時装置２が有する、伝達時間を特定する機能と、伝達時間をシステムの外部に報知する機能とを有する情報伝達時間特定装置が設けられる。
【符号の説明】
【００６６】
１００  情報伝達時間特定システム、  １  第１計時装置、  ２  第２計時装置、  ３  第１通信装置、  ４  第２通信装置、  ５  第１回線、  ６  第２回線、  １１  第１入力部、  １２  第１受付部、  １３  第１時計部、  １４  第１送信部、  １５  第１受信部、  １６  第１特定部、  １７  第１報知部、  １３０ａ  第１筐体、  １３０ｂ  第１水晶発振器、  １３０ｃ  第１カウンタ、  ２１  第２入力部、２２  第２受付部、  ２３  第２時計部、  ２４  第２送信部、  ２５  第２受信部、  ２６  第２特定部、  ２７  第２報知部、  ２３０ａ  第２筐体、  ２３０ｂ  第２水晶発振器、  ２３０ｃ  第２カウンタ、  ３１  第１通信部、  ３２  第２通信部、  ４１  第３通信部、  ４２  第４通信部。
【図１】
2011145258.tif 000006
【図２】
2011145258.tif 000007
【図３】
2011145258.tif 000008
【図４】
2011145258.tif 000009
【図５】
2011145258.tif 000010